(57)【特許請求の範囲】
【請求項１】
複数の略球形状の宝飾品が連綴された紐状装身具における紐状装身具用留め具において、
前記球形状の宝飾品を把持する第１の留め具及び第２の留め具と、
前記第１の留め具と前記第２の留め具とを連結する連結部材とを有し、
前記第１の留め具及び前記第２の留め具は、それぞれ半球形の第１の把持部材及び第２の把持部材とこれら把持部材を開閉自在に軸着するヒンジ部とにより形成され、
前記第１の留め具及び前記第２の留め具は、それぞれ前記第１の把持部材と前記第２の把持部材とを閉じたときに第１の孔、第２の孔及び第３の孔が形成され、
前記第１の留め具及び前記第２の留め具のヒンジ部は、それぞれ前記連結部材と前記第２の孔又は前記第３の孔のほぼ中間に設けられたことを特徴とする紐状装身具用留め具。
【請求項２】
請求項１に記載の紐状装身具用留め具において、前記第１の留め具と前記連結部材と前記第２の留め具とを直線になるように並べると、前記第１の留め具の第１の孔と前記第２の留め具の第１の孔が前記直線に位置することを特徴とする紐状装身具用留め具。
【請求項３】
請求項１又は請求項２に記載の紐状装身具用留め具において、前記第１の留め具と前記連結部材と前記第２の留め具とを直線になるように並べると、前記第１の留め具の第２の孔と第３の孔とを結んだ線及び前記第２の留め具の第２の孔と第３の孔とを結んだ線は、前記直線に対して垂直になることを特徴とする紐状装身具用留め具。
【請求項４】
請求項１乃至請求項３のいずれかに記載の紐状装身具用留め具において、前記第１の把持部材には中央に凹部を形成した突起状の係止部を設けると共に、前記第２の把持部材には先端に球状の着脱部を形成した係止軸を開閉自在に取り付け、前記係止軸を上方に押し上げると、前記着脱部が前記凹部に係合され、前記第１の把持部材と前記第２の把持部材が固定されることを特徴とする紐状装身具用留め具。
【請求項５】
請求項１乃至請求項４のいずれかに記載の紐状装身具用留め具を用い、複数の宝飾品が網み糸により連綴されてなる紐状装身具であって、
前記複数の宝飾品の両端の宝飾品には、前記網み糸の通し穴の一部を拡径して取り付け孔が形成されており、
前記取り付け孔を覆うカバー部と、前記取り付け孔に埋設可能に形成され、前記網み糸を折り返す折り返し穴を有する根元部とからなる糸折り返し部材を具備したことを特徴とする紐状装身具。
【発明の詳細な説明】
【技術分野】
【０００１】
本発明は紐状装身具用留め具、特に例えば真珠ネックレスに適した長さ調節及び形態変更機能付紐状装身具用留め具に関する。
【背景技術】
【０００２】
近年、装飾品の身に着け方も個性的になっており、例えば同じ紐状装身具でもその日の気分や服装に合わせて自由なバリエーションを楽しめる工夫がなされている。例えば真珠の紐状装身具の場合、クラスプという真珠の紐状装身具を留める留め具を用いることで、直線状に連綴された真珠を様々な形状の紐状装身具として利用できるようにしていた。
【０００３】
図７および図８にはそれぞれ、主として直線状に連綴された真珠ネックレスに使用される紐状装身具用留め具の従来技術の２形態が示されている。図７に示した紐状装身具用留め具７は直線状に連綴された真珠列６０を連結する留め具であり、留め具本体２００と真珠列６０の一端と連結される輪環２２０とから構成されている。この輪環２２０が連結される一端は、真珠列６０を連結している糸をリング状にした輪２２１である。
【０００４】
図７（ａ）に示すように、留め具２００は２つの半球状体がヒンジ２３０により開閉自在に連結されており、このヒンジ２３０の時計方向９０度の位置に円形孔２１０が形成されている。この円形孔２１０は、留め具２００で把持した真珠５０に連綴されている真珠５０のための窓として機能している（仮に、留め具２００に円形孔を２つ形成した場合でも、窓として機能するのは１つであるため図７では説明の便宜上省略している。）。留め具２００はまた、ヒンジ２３０から１８０度の位置に開閉時に摘む開閉突起２４０が半球状体の一方に一体形成されている。
【０００５】
図７（ｂ）は真珠５０が連綴された真珠列６０を紐状装身具用留め具７で連結したときの状態を示したものである。同図に示すように紐状装身具用留め具７は、真珠列６０の輪２２１が形成されていない方の真珠５０を留め具２００で把持することで、真珠列６０をリング状にして紐状装身具として使用できるようにしている。
【０００６】
一方、図８に示した紐状装身具用留め具９は、直線状に連綴された真珠５０を並列連結する留め具であり、２つの留め具２５０Ａおよび２５０Ｂと、これらを連結する連結部２２０から構成されている。なお、以後の説明において、同一の構成要素（例えば２５０Ａと２５０Ｂ）の場合、末尾に異なるアルファベットを付与することで区別しているが、２つに共通の説明は末尾のアルファベットを省いた符号で説明する。
【０００７】
紐状装身具用留め具９は真珠列６０を並列に連結するため、留め具２５０には連綴されている真珠５０のための窓として機能する円形孔が２つ設けられ、これら円形孔２６０および２６２はそれぞれ、ヒンジ２３０および開閉突起２４０からそれぞれ９０度の位置に形成されている。
【０００８】
図８（ａ）および図８（ｂ）は紐状装身具用留め具９を用いたときの使用例をそれぞれ示したものである。これら図に示すように紐状装身具用留め具９を用いると真珠列６０を並列に連結できるので、同じ真珠列６０であっても紐状装身具用留め具７を使用したときとは違った形態の紐状装身具として使用できる。
【発明の開示】
【発明が解決しようとする課題】
【０００９】
しかしながら、図７および図８で説明した紐状装身具用留め具では、真珠列６０を直線状に連結する場合と並列状に連結する場合とでは異なる留め具が必要となるという問題があった。さらに、ヒンジ２３０から１８０度の位置に開閉時に摘む開閉突起２４０が形成されているので、図７のように使用した場合には真珠の連結部分に段差が生じて完全な輪状とすることができず、見た目にもまた使用感も悪く、また、図８のように使用した場合には並列として使用する場合には問題がないものの、輪状とした場合には両端の真珠列がはみ出てしまうという問題があった。すなわち、従来技術では、紐状装身具用留め具を使用しても真珠列６０を使って様々なバリエーションを完全に楽しむことができず、また複数の紐状装身具用留め具が必要であった。
【００１０】
本発明はこのような従来技術の課題を解決し、１つの紐状装身具用留め具によって、真珠列を直線連結する場合と並列連結する場合の両方に兼用できるとともに見た目が美しく使用感が良好な紐状装身具用留め具を提供することを目的とする。
【課題を解決するための手段】
【００１１】
本発明は上記課題を解決するための手段として、複数の略球形状の宝飾品が連綴された紐状装身具における紐状装身具用留め具において、前記球形状の宝飾品を把持する第１の留め具及び第２の留め具と、前記第１の留め具と前記第２の留め具とを連結する連結部材とを有し、前記第１の留め具及び前記第２の留め具は、それぞれ半球形の第１の把持部材及び第２の把持部材とこれら把持部材を開閉自在に軸着するヒンジ部とにより形成され、前記第１の留め具及び前記第２の留め具は、それぞれ前記第１の把持部材と前記第２の把持部材とを閉じたときに第１の孔、第２の孔及び第３の孔が形成され、前記第１の留め具及び前記第２の留め具のヒンジ部は、それぞれ前記連結部材と前記第２の孔又は前記第３の孔のほぼ中間に設けられたことを特徴とする。
【００１２】
請求項２に記載された発明は、請求項１に記載の紐状装身具用留め具において、前記第１の留め具と前記連結部材と前記第２の留め具とを直線になるように並べると、前記第１の留め具の第１の孔と前記第２の留め具の第１の孔が前記直線に位置することを特徴とする。請求項３に記載された発明は、請求項１又は請求項２に記載の紐状装身具用留め具において、前記第１の留め具と前記連結部材と前記第２の留め具とを直線になるように並べると、前記第１の留め具の第２の孔と第３の孔とを結んだ線及び前記第２の留め具の第２の孔と第３の孔とを結んだ線は、前記直線に対して垂直になることを特徴とする。
【００１３】
請求項４に記載された発明は、請求項１乃至請求項３のいずれかに記載の紐状装身具用留め具において、前記第１の把持部材には中央に凹部を形成した突起状の係止部を設けると共に、前記第２の把持部材には先端に球状の着脱部を形成した係止軸を開閉自在に取り付け、前記係止軸を上方に押し上げると、前記着脱部が前記凹部に係合され、前記第１の把持部材と前記第２の把持部材が固定されることを特徴とする。請求項５に記載された発明は、請求項１乃至請求項４のいずれかに記載の紐状装身具用留め具を用い、複数の宝飾品が網み糸により連綴されてなる紐状装身具であって、前記複数の宝飾品の両端の宝飾品には、前記網み糸の通し穴の一部を拡径して取り付け孔が形成されており、前記取り付け孔を覆うカバー部と、前記取り付け孔に埋設可能に形成され、前記網み糸を折り返す折り返し穴を有する根元部とからなる糸折り返し部材を具備したことを特徴とする。
【発明の効果】
【００１４】
本発明によれば、１つの紐状装身具用留め具で真珠列を直列に連結したり並列に連結したりできるので、従来では２つ必要であった紐状装身具用留め具を１つにすることができる。したがって、必要に応じて、様々なバリエーションからなる紐状装身具の形態を同一の紐状装身具用留め具を使用して楽しむことができる。また、真珠列を直列に連結した場合でも従来のように段差が生じず完全な輪状とすることができるので、見た目も美しく使用感も快適である。さらに、開閉する係止軸を使用することで、紐状装身具用留め具と真珠列との着脱操作が極めて容易で、使用者の年齢に関係なく楽しむことができる。くわえて、真珠列の両端を紐状装身具用留め具の内部に確実に把持することができ、真珠列を連綴する編み糸が切断されることもない。
【発明を実施するための最良の形態】
【００１５】
以下、添付図面を参照して本発明による紐状装身具用留め具の実施の形態を詳細に説明する。図１〜図３には本発明の好ましい実施形態である紐状装身具用留め具１が示されている。図１は紐状装身具用留め具１の斜視図を示したものである。紐状装身具用留め具１は、例えば真珠ネックレスなどの略球形状の装身具を把持する２つの同形状の留め具１０Ａ，１０Ｂとこれらを連結する連結部材３６により構成されている。これら留め具１０および連結部材３６の材質は、例えばプラチナ、金、銀等の貴金属や、またはその他の金属に金メッキや銀メッキ加工を施したものである。
【００１６】
留め具１０は、半球形の把持部材１２と１４がヒンジ２２により開閉自在に軸着されている。把持部材１２には３つの半円形の切り欠き１２０、１２２、１２４が形成されており、同様に把持部材１４にはこれと対向する位置に半円形の切り欠き１４０、１４２、１４４が形成されている。
【００１７】
把持部材１２と１４とを合わせたとき、この切り欠き１２０と１４０により円形の孔４０が、切り欠き１２２と１４２により円形の孔４２が、切り欠き１２４と１４４により円形の孔４４がそれぞれ形成される。これら孔４０、４２、４４は後述する連綴された真珠列６０の開口部として機能する。
【００１８】
把持部材１２には、孔４４と連結部材３６の間に内部が中空状の凸部１８が形成され、凸部１８を挟むように把持部材１４に同じく内部が中空状の凹部１６が形成されている。把持部材１２の凸部１８を把持部材１４の凹部１６に嵌めこみ、横から円柱の棒体を挿入することで把持部材１２と１４とが軸着されてヒンジ２２が形成される。
【００１９】
また、把持部材１２には、先端で球状となる２つの突起２６Ａ、２７Ａが並列し、その中央に凹部が形成された係止部が設けられている。そして、把持部材１４には、突起２６Ａ、２７Ａに対応する位置に先端に球状の着脱部を形成した係止軸３０Ａが、前記ヒンジ２２と同様のヒンジ２８Ａにより開閉自在に取り付けられている。
【００２０】
ここで、把持部材１２と把持部材１４を閉じてから、係止軸３０Ａを上方に押し上げると、突起２６Ａ、２７Ａの弾性により着脱部は係止部に係合され、把持部材１２と把持部材１４は確実に固定される。この固定を解除するには、係止軸３０Ａを着脱部から押し下げれば、凹部との係合を簡単に外すことができる。
【００２１】
さらに、把持部材１４の周部には、中央に穴部を形成した略逆三角形状の連結板３２Ａが側部方向に形成され、第１の留め具１０Ａの連結板３２Ａと第２の留め具１０Ｂに同様に形成された連結板３２Ｂは、さらに輪環３４により連結されて連結部材３６が形成される。第１の留め具１０Ａと第２の留め具１０Ｂは、連結部材３６により紐状装身具用留具１を構成する。なお、この連結板３２は、それぞれ把持部材１２側の周部に取り付けても良い。
【００２２】
図２は紐状装身具用留め具１の上面図（ａ）、側面図（ｂ）および留め具１０Ｂを開いたときの側面図（ｃ）である。また、これら図では真珠５０を内部に把持した状態がそれぞれ示されている。
【００２３】
図２（ａ）より、把持部材１２および１４により形成される孔４０は連結部材３６に対して１８０度の位置に形成され、さらに連結部材３６に対してそれぞれ９０度の位置に孔４２と孔４４とが形成されている。
【００２４】
また、ヒンジ２２は孔４４と連結部材３６のほぼ中間に位置している。さらに、係止部２６、２７と係止軸３０は、ヒンジ２２に対して９０度の位置に形成されている。
【００２５】
なお、孔４０は後述する真珠列６０を直線連結するための孔であり、孔４２、４４は真珠列６０を並列連結するための孔である。
【００２６】
図３は紐状装身具用留め具１の具体的な使用例を示したものであり、図３（ａ）はその部分拡大図を、図３（ｂ）、図３（ｃ）、図３（ｄ）はその使用例をそれぞれ図示している。図３（ａ）において、真珠５０を２点鎖線で示したＡ側は真珠列６０を並列連結した状態を示しており、図３（ｂ）がその使用状態を示している。また、図３（ａ）において、真珠５０を実線で示したＢ側は真珠列６０を直線連結した状態を示しており、図３（ｃ）がその使用状態を示している。さらに、図３（ａ）において、一端の真珠５０を２点鎖線で示したＡ側として、他端の真珠５０を実線で示したＢ側として真珠列６０を連結した状態、すなわちＹ字連結をすることもでき、図３（ｄ）がその使用状態を示している。
【００２７】
次に、紐状装身具用留め具１と共に使用する糸折り返し部材７０について説明する。図５は、糸折り返し部材の斜視図、図６は、紐状装身具に糸折り返し部材を埋設した状態を示す部分断面図である。
糸折り返し部材７０は、紐状装身具用留め具１と同様の材質によるもので、全体としてはマッシュルームのような形状をなし、上方には傘状のカバー部７２と、下方には中央に編み糸の折り返し穴７６を有する根元部７４からなる。  
【００２８】
そして、真珠ネックレスの両端の真珠５０Ａ、５０Ｂの通し穴５４の一部（約４分の１程度）を削孔、拡径した取り付け穴５３に、糸折り返し部材７０は根元部７４より埋設され、真珠５０Ａ、５０Ｂの表面をカバー部７２が覆うように取り付けられる。また、真珠ネックレスの編み糸６２は折り返し穴７６で折り返され、一つ内側の真珠との間で締結される。
【００２９】
一般的な真珠ネックレスの編み糸の末端（最後）は、両端の真珠にて取り付けられた連結具の輪環等にて折り返され、一つ内側の真珠との間で締結されるのが一般的であるが、紐状装身具用留め具１の場合、真珠ネックレスとは別物品なので糸を折り返す場所がなく、両端の真珠の外側で結び目を締結するとはみ出てしまい、把持部材１２、１４に両端の真珠がうまく収納されない場合も生ずる。
【００３０】
そこで、糸折り返し部材７０を使用すれば、編み糸を簡単に折り返すことができ、末端を締結し易くすることができるばかりか、両端の真珠５０Ａ、５０Ｂの球状、外径をほぼ同一に維持できる。したがって、両端の真珠５０Ａ、５０Ｂを把持部材１２、１４により確実に収容できる。さらに、結び目が真珠の５０Ａ、５０Ｂ外側に露出しないので、長期間の使用によっても、把持部材１２、１４の開閉による摩擦で編み糸６２が切断される心配がない。
【００３１】
以上、説明したような本発明によれば、１つの紐状装身具用留め具で真珠列６０を直線連結したり、並列連結したり、Ｙ字状連結したりすることが可能であり、様々なバリエーションを１つの紐状装身具用留め具で楽しむことができる。なお、本実施の形態では本発明が有利に適用される場合として、真珠ネックレスを一例として説明したが、本発明は特に真珠ネックレスに限定されるものではなく、球形の宝石を数珠繋ぎにしたものであればどのようなものでも適用可能であり、その長さをネックレスに限定するわけではなく、ブレスレット、アンクレット等にも使用できる。また、複数の略球形状の宝石を把持できれば、把持部材の形状等も特に本発明において制約を受けるものではなく、デザインだけの違いであれば本発明の範疇に含まれるのは当然である。
【図面の簡単な説明】
【００３２】
【図１】本発明による紐状装身具用留め具の第１の実施の形態を示す紐状装身具用留め具１の斜視図。
【図２】図１に示した紐状装身具用留め具１における上面図（ａ）、側面図（ｂ）および留め具１０Ｂを開いたときの側面図（ｃ）。
【図３】図１に示した紐状装身具用留め具１の使用例を示した部分拡大図（ａ）と並列連結したときの使用例（ｂ）、直線連結したときの使用例（ｃ）及びＹ字連結したときの使用例（ｄ）。
【図４】紐状装身具用留め具１を直線連結し、実際に身にまとった使用状態を示す説明図。
【図５】紐状装身具用留め具１に使用される糸折り返し部材７０の斜視図。
【図６】紐状装身具に糸折り返し部材７０を埋設した状態を示す断面図。
【図７】従来技術における直線連結用の紐状装身具用留め具７の使用例。
【図８】従来技術における並列連結用の紐状装身具用留め具９の使用例。
【符号の説明】
【００３３】
１  紐状装身具用留め具
７  紐状装身具用留め具
９  紐状装身具用留め具
１０  留め具
１２  把持部材
１４  把持部材
１６  凹部
１８  凸部
２２  ヒンジ
２６  突起
２７  突起
２８  ヒンジ
３０  係止軸
３２  連結板
３４  輪環
３６  連結部材
４０  孔
４２  孔
４４  孔
５０  真珠
５３  取り付け穴
５４  通し穴
６０  真珠列
６２  編み糸
７０  糸折り返し部材
７２  カバー部
７４  根元部
７６  折り返し穴
１２０  切り欠き
１２２  切り欠き
１２４  切り欠き
１４０  切り欠き
１４２  切り欠き
１４４  切り欠き
２００  留め具本体
２００  留め具
２１０  円形孔
２２０  輪環
２２０  連結部
２２１  輪
２３０  ヒンジ
２４０  開閉突起
２５０  留め具
２６０  円形孔
２６２  円形孔
【図１】
0004756023.tif 000002
【図２】
0004756023.tif 000003
【図３】
0004756023.tif 000004
【図４】
0004756023.tif 000005
【図５】
0004756023.tif 000006
【図６】
0004756023.tif 000007
【図７】
0004756023.tif 000008
【図８】
0004756023.tif 000009